(57)【要約】      （修正有）【課題】空洞部に滞留する輸液等の液体を低減することができるコネクタを提供する。【解決手段】コネクタ１は輸液ラインの途中に接続されて混注に用いられる。上部にＵ字溝部２３ａ，２３ｂを備える直立部材２１ａ，２１ｂと、上部に仕切り部材２４を備える直立部材とを備える円盤状のコネクタ本体２と、直立部材２１ａ，２１ｂのＵ字溝部２３ａ，２３ｂとの間に流路３６ａ，３６ｂを形成し、かつ、流路３６ａ，３６ｂを接続する接続空間部３７を形成する逆Ｕ字状切欠部３１と、仕切り部材２４を収容する空洞部３２を形成する内壁部３３と、混注口３５とを備える可撓性塔状部材３１と、可撓性塔状部材３をコネクタ本体２に固定し、かつ、流路３６ａに連通する流入口４３と、流路３６ｂに連通する流出口４４とを備えるカバー部材４とを備える。【選択図】図３
2020116340.tif 000002
【特許請求の範囲】
【請求項１】
輸液ラインの途中に接続されて該輸液ラインに対する混注に用いられるコネクタであって、
底部から直立し上部にＵ字溝部を備える第１及び第２の直立部材と、該第１及び第２の直立部材に挟まれて底部から直立し上部に仕切り部材を備える第３の直立部材とを備える円盤状のコネクタ本体と、
該第１〜第３の直立部材を跨いでその側面に密着し該第１及び第２の直立部材のＵ字溝部との間に第１及び第２の流路を形成し、かつ、該第３の直立部材との間に該仕切り部材を収容し該第１及び第２の流路を接続する接続空間部を形成する逆Ｕ字状切欠部と、該接続空間部の上部に連通し該仕切り部材を収容する空洞部を形成する内壁部と、該空洞部に連通する混注口とを備える可撓性塔状部材と、
該可撓性塔状部材の天面を露出させる一方、側面を覆って該コネクタ本体に固定し、かつ、該第１の流路に連通し該輸液ラインから液体が流入する流入口と、該第２の流路に連通し液体が該輸液ラインに流出する流出口とを備えるカバー部材とを備えることを特徴とするコネクタ。
【請求項２】
請求項１記載のコネクタにおいて、前記第１及び第２の流路は直線状に位置し、前記カバー部材は該直線の両側において前記可撓性塔状部材との間に間隙を存することを特徴とするコネクタ。
【請求項３】
請求項１又は請求項２記載のコネクタにおいて、前記第１及び第２の流路は直線状に位置し、前記仕切り部材は長軸が該直線に直交する楕円錐台形状であることを特徴とするコネクタ。
【請求項４】
請求項１又は請求項２記載のコネクタにおいて、前記第１及び第２の流路は直線状に位置し、前記仕切り部材は斜切円柱状であり、該斜切円柱状の傾斜面が該第１の流路側から該第２の流路側に向けて次第に高くなることを特徴とするコネクタ。
【発明の詳細な説明】
【技術分野】
【０００１】
本発明は、輸液ラインに対する混注に用いられるコネクタに関する。
【背景技術】
【０００２】
従来、輸液ラインの途中に接続されて該輸液ラインに対する薬液等の混注に用いられるコネクタが知られている（例えば、特許文献１参照）。
【０００３】
前記コネクタは、輸液ラインから輸液等の液体が流入する流入口と、該液体が該輸液ラインに流出する流出口と、該流入口と該流出口とを接続する接続空間部とを備えるコネクタ本体と、コネクタ本体に接続されて輸液ラインに対する混注に用いられる混注路を形成する可撓性の有底筒状部材と、該有底筒状部材を覆って該コネクタ本体に固定するカバー部材とを備える。
【０００４】
前記有底筒状部材は、内部に接続空間部に連通する空洞部を備え、底面が接続空間部から離間する方向に位置するように、倒立状態で前記コネクタ本体に接続される。また、前記有底筒状部材は底面に混注口を備えており、混注口は該有底筒状部材が該混注に用いられる注射筒の先端部により接続空間部方向に押圧されることにより空洞部に連通する。
【先行技術文献】
【特許文献】
【０００５】
【特許文献１】特開２００４−２０９２７８号公報
【発明の概要】
【発明が解決しようとする課題】
【０００６】
特許文献１に記載の前記コネクタでは、混注を行うとき以外は、輸液ラインから流入口を介して流入した輸液等の液体はそのまま接続空間部から流出口を介して輸液ラインに流出する。
【０００７】
しかしながら、前記空洞部は流入口から流出口に至る液体の流れに影響を受けない死空間となるので、前記輸液等の液体は一旦空洞部に流入するとそのまま該空洞部に滞留することになるという不都合がある。
【０００８】
本発明は、かかる不都合を解消して、空洞部に滞留する輸液等の液体を低減することができるコネクタを提供することを目的とする。
【課題を解決するための手段】
【０００９】
かかる目的を達成するために、本発明のコネクタは、輸液ラインの途中に接続されて該輸液ラインに対する混注に用いられるコネクタであって、底部から直立し上部にＵ字溝部を備える第１及び第２の直立部材と、該第１及び第２の直立部材に挟まれて底部から直立し上部に仕切り部材を備える第３の直立部材とを備える円盤状のコネクタ本体と、該第１〜第３の直立部材を跨いでその側面に密着し該第１及び第２の直立部材のＵ字溝部との間に第１及び第２の流路を形成し、かつ、該第３の直立部材との間に該仕切り部材を収容し該第１及び第２の流路を接続する接続空間部を形成する逆Ｕ字状切欠部と、該接続空間部の上部に連通し該仕切り部材を収容する空洞部を形成する内壁部と、該空洞部に連通する混注口とを備える可撓性塔状部材と、該可撓性塔状部材の天面を露出させる一方、側面を覆って該コネクタ本体に固定し、かつ、該第１の流路に連通し該輸液ラインから液体が流入する流入口と、該第２の流路に連通し液体が該輸液ラインに流出する流出口とを備えるカバー部材とを備えることを特徴とする。
【００１０】
本発明のコネクタによれば、前記可撓性塔状部材が、逆Ｕ字状切欠部により、前記コネクタ本体の前記第１〜第３の直立部材を跨いでその側面に密着することにより、前記第１及び第２の流路と、該第１及び第２の流路を接続する接続空間部とを形成する。前記可撓性塔状部材は、前記カバー部材により前記コネクタ本体に固定され、前記第１の流路が該カバー部材の流入口に連通し、前記第２の流路が該カバー部材の流出口に連通し、かつ、前記接続空間部と該接続空間部に連通する前記空洞部に前記仕切り部材を収容する。
【００１１】
そこで、本発明のコネクタは、輸液ラインの途中に接続されたときには、該輸液ラインにより供給される液体が、前記流入口から前記第１の流路を介して前記接続空間部に流入し、前記第２の流路を介して前記流出口から該輸液ラインに流出する。このとき、前記接続空間部の上部には前記空洞部が連通しており、該空洞部に前記液体が流入するとそのまま該空洞部に滞留し、該空洞部が死空間となることが懸念される。
【００１２】
しかし、本発明のコネクタは、前記第３の直立部材の上部に前記仕切り部材を備えており、該仕切り部材は前記接続空間部と前記空洞部とに収容されている。従って、前記接続空間部と前記空洞部との内容積は前記仕切り部材により制限されることとなり、前記液体が滞留する死空間を低減することができる。
【００１３】
また、本発明のコネクタは、混注時には混注を行う注射筒の先端により前記可撓性塔状部材が前記接続空間部方向に押圧される。このようにすると、前記混注口の底部が前記空洞部に連通し、前記注射筒により前記輸液ラインに対する混注が可能になる。一方、前記注射筒の先端により前記可撓性塔状部材が前記接続空間部方向に押圧されると、該可撓性塔状部材が撓んで前記カバー部材側に膨出することになるが、該膨出が該カバー部材により規制されると該注射筒の先端による該可撓性塔状部材の押圧が困難になることがある。
【００１４】
そこで、本発明のコネクタにおいて、前記第１及び第２の流路は直線状に位置し、前記カバー部材は該直線の両側において前記可撓性塔状部材との間に間隙を存することが好ましい。前記カバー部材が前記直線の両側において前記可撓性塔状部材との間に間隙を存することにより、該可撓性塔状部材が前記接続空間部方向に押圧されたときに、該カバー部材側に膨出する部分を前記間隙に収容することができるので、前記注射筒の先端による前記可撓性塔状部材の押圧を容易に行うことができる。
【００１５】
また、本発明のコネクタにおいて、前記第１及び第２の流路は直線状に位置し、前記仕切り部材は長軸が該直線に直交する楕円錐台形状であることが好ましい。前記仕切り部材が楕円錐台形状であり、該楕円錐台形状の長軸が前記直線に直交することにより、前記第１の流路から前記接続空間部に流入した液体を該楕円錐台形状の側面に沿って前記空洞部内に案内し、さらに該空洞部の上端で折り返した該液体を前記第２の流路に案内することができ、該空洞部に滞留する該液体をより低減することができる。
【００１６】
また、本発明のコネクタにおいて、前記仕切り部材は、前記楕円錐台形状に代えて、斜切円柱状であり、該斜切円柱状の傾斜面が該第１の流路側から該第２の流路側に向けて次第に高くなることがさらに好ましい。前記仕切り部材が前記斜切円柱状である場合には、前記第１の流路から前記接続空間部に流入した液体を該斜切円柱状の傾斜面に沿って流すことにより、容易に前記空洞部内に案内することができ、該空洞部に滞留する該液体をさらに低減することができる。
【図面の簡単な説明】
【００１７】
【図１】本発明のコネクタの一構成例を示す斜視図。
【図２】図１に示すコネクタの組立図。
【図３】Ａは図１のIII−III線断面図、ＢはＡのＢ−Ｂ線断面図、ＣはＡのＣ−Ｃ線断面図。
【図４】図３Ａに示す断面の構成例において、注射筒の先端部により可撓性塔状部材を接続空間部方向に押圧した状態を示す説明的断面図。
【図５】Ａは本発明のコネクタの他の構成例を示す平面図、ＢはＡのＢ−Ｂ線断面図。
【図６】Ａは図５Ａに示す断面の構成例において、注射筒の先端部により可撓性塔状部材を接続空間部方向に押圧した状態を示す説明的断面図、ＢはＡのＢ−Ｂ線断面図。
【図７】本発明のコネクタのさらに他の構成例におけるコネクタ本体の構成を示す斜視図。
【図８】図３Ａに示す断面の構成例において、図７に示すコネクタ本体を用いた場合を示す説明的断面図。
【発明を実施するための形態】
【００１８】
次に、添付の図面を参照しながら本発明の実施の形態についてさらに詳しく説明する。
【００１９】
図１及び図２に示すように、本実施形態のコネクタ１は、図示しない輸液ラインの途中に接続されて該輸液ラインに対する薬液等の混注に用いられる医療用器具であり、円盤状のコネクタ本体２と、可撓性塔状部材３と、可撓性塔状部材３を覆ってコネクタ本体２に固定するカバー部材４とからなる。
【００２０】
コネクタ本体２は、底部から直立する第１及び第２の直立部材２１ａ，２１ｂと、底部から直立する第３の直立部材２２とを備える。第１及び第２の直立部材２１ａ，２１ｂは板状であってコネクタ本体２の底部に直線状に形成されており、それぞれの上部にＵ字溝部２３ａ，２３ｂを備えている。また、第３の直立部材２２は円柱状であって第１及び第２の板状直立部材２１ａ，２１ｂの間に挟まれており、上部に楕円錐台形状の仕切り部材２４を備えている。
【００２１】
可撓性塔状部材３は略円筒状であり、逆Ｕ字状切欠部３１と、逆Ｕ字状切欠部３１に連通する空洞部３２を形成する内壁部３３（図３参照）と、天面３４に開口する混注口３５とを備える。
【００２２】
カバー部材４は、可撓性塔状部材３の下部を収容する中空の大径カバー部４１と、可撓性塔状部材３の上部を収容する中空の小径カバー部４２とを備え、大径カバー部４１は輸液ラインから液体が流入する流入口４３と、液体が該輸液ラインに流出する流出口４４とを備えている。流入口４３は大径カバー部４１の側面から法線方向に形成され、流出口４４は流入口４３に対して対称となる大径カバー部４１の側面から法線方向に形成されており、流入口４３と流出口４４とが直線状に配置されている。また、小径カバー部４２は、外周面に注射筒のロック筒（図示せず）が螺合される雄ねじ部４５を備える一方、可撓性塔状部材３の天面３４を露出する孔部４６を備えている。
【００２３】
図３Ａ及び図３Ｂに示すように、本実施形態のコネクタ１では、可撓性塔状部材３は、逆Ｕ字状切欠部３１が第１〜第３の直立部材２１ａ，２１ｂ，２２を跨いでその側面に密着し、第１及び第２の直立部材２１ａ，２１ｂのＵ字溝部２３ａ，２３ｂとの間に第１及び第２の流路３６ａ，３６ｂを直線状に形成する。また、可撓性塔状部材３は、第１及び第２の流路３６ａ，３６ｂの間に、仕切り部材２４を収容し、かつ、第１及び第２の流路３６ａ，３６ｂを接続する接続空間部３７を形成する。接続空間部３７は、仕切り部材２４との間に間隙を存しており、仕切り部材２４は、接続空間部３７内に、楕円錐台形状の長軸が直線状に形成された第１及び第２の流路３６ａ，３６ｂと直交するように配置される。
【００２４】
このとき、空洞部３２は、接続空間部３７の上部に連通しており、仕切り部材２４との間に間隙を存して仕切り部材２４を収容するようになっている。また、混注口３５は、平面視菱形であって可撓性塔状部材３の天面３４に開口する。混注口３５は、通常は閉じていて、混注に用いられる注射筒の先端部５（図４参照）により可撓性塔状部材３が接続空間部３７方向に押圧されたときに空洞部３２に連通する。
【００２５】
また、図３Ａ及び図３Ｃに示すように、カバー部材４は、可撓性塔状部材３の天面３４を露出させる一方、側面を覆ってコネクタ本体２に固定したときに、流入口４３が第１の流路３６ａに連通し、流出口４４が第２の流路３６ｂに連通するようにされている。
【００２６】
図３Ａ〜３Ｃに示す断面形状を備えるコネクタ１では、図示しない輸液ラインの途中に接続されたときに、該輸液ラインから流入口４３を介して流入した輸液等の液体が、図３Ａに矢示するように、第１の流路３６ａにより接続空間部３７に案内され、接続空間部３７では仕切り部材２４の第１の流路３６ａ側の側面に沿って空洞部３２に導入される。空洞部３２に導入された液体は、空洞部３２の上端で折り返し、仕切り部材２４の第２の流路３６ｂ側の側面により第２の流路３６ｂに案内され、流出口４４を介して輸液ラインに流出する。従って、コネクタ１では、空洞部３２に前記輸液等の液体を滞留させることなく、前記輸液ラインに流出させることができる。
【００２７】
また、接続空間部３７に案内された液体の一部は、図３Ｃに矢示するように、仕切り部材２４の周囲を回って第２の流路３６ｂに流入する。
【００２８】
輸液ラインに接続したコネクタ１を用いて混注を行うときには、図４に示すように、混注する薬液等が収容された注射筒の先端部５をカバー部材４の孔部４６に挿入し、可撓性塔状部材３の天面３４を接続空間部３７方向に押圧する。このようにすると、前述のように、混注口３５が空洞部３２に連通する。
【００２９】
このとき、注射筒が、先端部５の外周側に設けられた外套筒であって内周面に雌ねじ部が形成されているロック筒（図示せず）を備えるときには、該ロック筒の雌ねじ部を小径カバー部４２の外周面に形成された雄ねじ部４５に螺合することができる。前記ロック筒の雌ねじ部を雄ねじ部４５に螺合することにより、注射筒の先端部５により可撓性塔状部材３の天面を接続空間部３７方向に押圧する動作を容易かつ確実に行うことができる。
【００３０】
そして、注射筒のプランジャーをシリンダーに押し込むことにより、該注射筒に収容されている薬液等が矢示するように該注射筒の先端部５から空洞部３２に注入されて、輸液ラインに対する該薬液等の混注が行われる。
【００３１】
前記混注の際には、可撓性塔状部材３が注射筒の先端部５に押圧されることにより空洞部３２が圧縮されてその内容積が低減されており、前記薬液等は空洞部３２で前記輸液等の液体と容易に混合されて、第２の流路３６ｂから流出口４４を介して輸液ラインに流出することができる。
【００３２】
次に、コネクタ１の他の態様を図５Ａ及び図５Ｂに示す。図５Ａ及び図５Ｂに示す態様において、コネクタ１は、カバー部材４の大径カバー部４１が、第１及び第２の流路３６ａ，３６ｂの形成する直線の両側において可撓性塔状部材３との間に間隙４７を存している。
【００３３】
コネクタ１は、カバー部材４の大径カバー部４１が可撓性塔状部材３との間に間隙４７を存することにより、図６Ａ及び図６Ｂに示すように、可撓性塔状部材３が注射筒の先端部５により接続空間部３７方向に押圧されたときに、可撓性塔状部材３の膨出する部分を間隙４７に収容することができるので、注射筒の先端部５による可撓性塔状部材３の押圧を容易に行うことができる。
【００３４】
次に、コネクタ１のさらに他の態様を図７に示す。図７に示す態様において、コネクタ１は、コネクタ本体２の第３の直立部材２２の上部に、楕円錐台形状の仕切り部材２４に代えて、斜切円柱状の仕切り部材２５を備えている。仕切り部材２５は、第１の流路３６ａ側から第２の流路３６ｂ側に向けて次第に高くなる傾斜面２６を備えている。
【００３５】
コネクタ１は、斜切円柱状の仕切り部材２５を備えることにより、図８に矢示するように、輸液ラインから流入口４３、第１の流路３６ａを介して接続空間部３７に流入した輸液等の液体を、仕切り部材２５の傾斜面２６に沿って流すことにより、楕円錐台形状の仕切り部材２４の場合よりも容易に空洞部３２に案内することができる。この結果、斜切円柱状の仕切り部材２５を備えるコネクタ１によれば、空洞部３２に滞留する前記液体をさらに低減することができる。
【符号の説明】
【００３６】
１…コネクタ、  ２…コネクタ本体、  ３…可撓性塔状部材、  ４…カバー部材、  ５…注射筒、  ２１ａ，２１ｂ，２２…直立部材、  ２３ａ，２３ｂ…Ｕ字溝部、  ２４，２５…仕切り部材、  ３１…逆Ｕ字状切欠部、  ３２…空洞部、  ３３…内壁面、  ３４…天面、  ３５…混注口、  ３６ａ，３６ｂ…流路、  ３７…接続空間部、  ４３…流入口、  ４４…流出口。
【図１】
2020116340.tif 000003
【図２】
2020116340.tif 000004
【図３】
2020116340.tif 000005
【図４】
2020116340.tif 000006
【図５】
2020116340.tif 000007
【図６】
2020116340.tif 000008
【図７】
2020116340.tif 000009
【図８】
2020116340.tif 000010